(57)【要約】【課題】本発明は、信号発生装置、テストパターン及び映像機器の評価方法に関し、ＭＰＥＧ２等の符号化処理、復号化処理による画質劣化、ノイズ等を簡易かつ確実に確認することができるようにする。【解決手段】本発明は、垂直方向又は水平方向に表示画面を分割して形成される各領域ＡＲ１〜ＡＲ４で同一の静止画像を表示し、領域ＡＲ１〜ＡＲ４毎に異なるスクロール速度で水平方向又は垂直方向に静止画像をスクロールさせる。【選択図】        図１
2009171178.tif 000002
【特許請求の範囲】
【請求項１】
テスト信号を出力する信号発生装置において、
前記テスト信号が、
テストパターンを表示する信号であり、
前記テストパターンが、
垂直方向又は水平方向に表示画面を分割して形成される各領域で同一の静止画像を表示し、
領域毎に異なるスクロール速度で水平方向又は垂直方向に前記同一の静止画像をスクロールさせるテストパターンである
ことを特徴とする信号発生装置。
【請求項２】
ラスタ走査開始端側から遠い領域程、前記各領域のスクロール速度が高速度になるように設定された
ことを特徴とする請求項１に記載の信号発生装置。
【請求項３】
前記各領域のスクロール速度をユーザーの指示に応じて可変する
ことを特徴とする請求項１又は請求項２に記載の信号発生装置。
【請求項４】
前記各領域のスクロール方向をユーザーの指示に応じて切り換える
ことを特徴とする請求項１、請求項２又は請求項３に記載の信号発生装置。
【請求項５】
請求項１、請求項２、請求項３又は請求項４に記載の信号発生装置から出力される前記テスト信号を映像機器で処理して表示し、前記テストパターンの目視による観察により前記映像機器における前記テスト信号の処理を評価する
ことを特徴とする映像機器の評価方法。
【請求項６】
映像機器の評価に供するテストパターンにおいて、
垂直方向又は水平方向に表示画面を分割して形成される各領域で同一の静止画像を表示し、
領域毎に異なるスクロール速度で水平方向又は垂直方向に前記同一の静止画像がスクロールする
ことを特徴とするテストパターン。
【請求項７】
請求項６に記載のテストパターンの映像信号を前記映像機器で処理して表示し、前記テストパターンの目視による観察により前記映像機器における前記テスト信号の処理を評価する
ことを特徴とする映像機器の評価方法。
【発明の詳細な説明】
【技術分野】
【０００１】
本発明は、信号発生装置、テストパターン及び映像機器の評価方法に関し、例えばＭＰＥＧ（Moving Picture Experts Group）２等の符号化処理、復号化処理の確認に使用することができる。本発明は、垂直方向又は水平方向に表示画面を分割して形成される各領域で同一の静止画像を表示し、領域毎に異なるスクロール速度で水平方向又は垂直方向にスクロールさせることにより、ＭＰＥＧ２等の符号化処理、復号化処理による画質劣化、ノイズ等を簡易かつ確実に確認することができるようにする。
【背景技術】
【０００２】
近年、映像機器は、ＭＰＥＧ２、Ｈ２６４．ＡＶＣ（Advanced Video Coding ）等の各種符号化処理、復号化処理によりビデオ信号を伝送している。これらの符号化処理は、動き補償の手法を適用して連続するフレーム間で差分信号（予測誤差信号）を生成し、この差分信号を順次、直交変換処理、量子化処理、可変長符号化処理する。これらの符号化処理は、これらの処理をマクロブロック単位で実行する。また例えばＴＭ５の手法を適用して各マクロブロックで量子化スケールを可変し、所望のビットレートでビデオ信号を符号化処理する。
【０００３】
また従来、これらの映像機器は、信号発生装置からカラーバー、グレースケール等のテスト信号を入力して各種の特性を検討している。また信号発生装置では、例えば特開２００７−２６７２８４号公報に開示されているように、メモリに保持したテスト信号用画像データを順次読み出すことにより各種のテスト信号を生成している。
【０００４】
ところでＭＰＥＧ２等の符号化処理では、各マクロブロックへの符号量の割り当てが適切に実行されていない場合、例えばラスタ走査開始端側のマクロブロックに比して、ラスタ走査終了端側のマクロブロックで著しく画質が劣化し、さらにブロックノイズが増大する。このような符号化処理、復号化処理による画質劣化、ノイズ等を簡易かつ確実に確認することができれば、便利であると考えられる。
【特許文献１】特開２００７−２６７２８４号公報
【発明の開示】
【発明が解決しようとする課題】
【０００５】
本発明は以上の点を考慮してなされたもので、ＭＰＥＧ２等の符号化処理、復号化処理による画質劣化、ノイズ等を簡易かつ確実に確認することができる信号発生装置、テストパターン及び映像機器の評価方法を提案しようとするものである。
【課題を解決するための手段】
【０００６】
上記の課題を解決するため請求項１の発明は、テスト信号を出力する信号発生装置に適用して、前記テスト信号が、テストパターンを表示する信号であり、前記テストパターンが、垂直方向又は水平方向に表示画面を分割して形成される各領域で同一の静止画像を表示し、領域毎に異なるスクロール速度で水平方向又は垂直方向に前記同一の静止画像をスクロールさせるテストパターンであるようにする。
【０００７】
また請求項２の発明は、請求項１の構成において、ラスタ走査開始端側から遠い領域程、前記各領域のスクロール速度が高速度になるように設定される。
【０００８】
また請求項３の発明は、請求項１又は請求項２の構成において、前記各領域のスクロール速度をユーザーの指示に応じて可変する。
【０００９】
また請求項４の発明は、請求項１、請求項２又は請求項３の構成において、前記各領域のスクロール方向をユーザーの指示に応じて切り換える。
【００１０】
また請求項５の発明は、映像機器の評価方法に適用して、請求項１、請求項２、請求項３又は請求項４に記載の信号発生装置から出力される前記テスト信号を映像機器で処理して表示し、前記テストパターンの目視による観察により前記映像機器における前記テスト信号の処理を評価する。
【００１１】
また請求項６の発明は、映像機器の評価に供するテストパターンに適用して、垂直方向又は水平方向に表示画面を分割して形成される各領域で同一の静止画像を表示し、領域毎に異なるスクロール速度で水平方向又は垂直方向に前記同一の静止画像がスクロールする。
【００１２】
また請求項７の発明は、映像機器の評価方法に適用して、請求項６に記載のテストパターンの映像信号を前記映像機器で処理して表示し、前記テストパターンの目視による観察により前記映像機器における前記テスト信号の処理を評価する。
【００１３】
請求項１の構成によれば、例えばラスタ走査開始端側及び終了端側の比較により、画質劣化、ノイズ等を簡易かつ確実に確認することができる。従って各マクロブロックへの割り当て符号量の適切、不適切を判定することができる。
【００１４】
また請求項２の構成によれば、ラスタ走査、又はオルタネート走査により各マクロブロックの発生符号量をレート制御する場合に、一段と適切に画質劣化、ノイズ等を確認することができる。
【００１５】
また請求項３の構成によれば、各領域のスクロール速度を種々に可変して、一段と適切に各種の動画における画質劣化、ノイズ等を確認することができる。
【００１６】
また請求項４の構成によれば、各領域のスクロール方向を種々に設定して、一段と適切に各種の動画における画質劣化、ノイズ等を確認することができる。
【００１７】
請求項５、請求項６又は請求項７の構成によれば、ラスタ走査開始端側及び終了端側の比較により、画質劣化、ノイズ等を簡易かつ確実に判定することができる。従って各マクロブロックへの割り当て符号量の適切、不適切を判定することができる。
【発明の効果】
【００１８】
本発明によれば、符号化処理、復号化処理による画質劣化、ノイズ等を簡易かつ確実に確認することができる。
【発明を実施するための最良の形態】
【００１９】
以下、適宜図面を参照しながら本発明の実施例を詳述する。
【実施例１】
【００２０】
（１）実施例の構成
図２は、本発明の実施例１の信号発生装置を示すブロック図である。この信号発生装置１は、カラーバー、グレースケール等の各種テストパターンのビデオ信号を出力する。この実施例では、この信号発生装置を評価対象の映像機器で処理して表示し、目視による観察により表示画像の各部における画質、ノイズを評価することにより、この映像機器におけるビデオ信号の処理を評価する。具体的に、例えばこの映像機器がＭＰＥＧ２の符号化装置である場合、ビデオ信号をこの符号化装置で符号化処理した後、復号化装置で復号化処理して表示し、この表示の確認により符号化装置を評価する。
【００２１】
この信号発生装置１において、テスト信号メモリ２は、各種テスト信号のテスト信号用画像データを格納して保持し、コントローラ３の制御により保持したテスト信号用画像データを出力する。
【００２２】
テスト信号出力回路４は、コントローラ３の制御により出力フォーマットを切り換え、テスト信号メモリ２から出力されるテスト信号用画像データを処理して各種テスト信号Ｓ１を出力する。なおここでこのテスト信号Ｓ１の出力フォーマットは、コンポジット、コンポーネントによるアナログビデオ信号出力、色信号によるビデオ信号出力、ディジタル信号によるビデオ信号出力等である。
【００２３】
コントローラ３は、この信号発生装置に設けられた操作子の操作に応動してテスト信号メモリ２、テスト信号出力回路４の動作を制御する。すなわちコントローラ３は、ユーザーが通常のカラーバー、グレースケール等によるテスト信号Ｓ１の出力を指示すると、対応するテスト信号用画像データをテスト信号メモリ２から読み出してテスト信号出力回路４に入力し、これによりこれらカラーバー、グレースケール等によるテスト信号Ｓ１を出力する。またユーザーがこれらのテスト信号Ｓ１のスクロールを指示すると、フィールド毎に、又はフレーム毎に、テスト信号メモリ２からの読出しアドレスを変化させて、テスト信号メモリ２から対応するテスト信号用画像データを順次読み出してテスト信号出力回路４に入力し、これによりこれらカラーバー、グレースケール等によるスクロール画像のテスト信号Ｓ１を出力する。
【００２４】
これに対してユーザーが分割スクロール表示を指示すると、コントローラ３は、各部の動作を制御して分割スクロールのテスト信号Ｓ１を出力する。ここで分割スクロール表示のテスト信号は、図１にカラーバーを例に取って示すように、１画面を垂直方向に同一幅に分割して形成される領域ＡＲ１〜ＡＲ４で同一の静止画像を表示し、また各領域ＡＲ１〜ＡＲ４で異なるスクロール速度ｖ１〜ｖ４で各領域ＡＲ１〜ＡＲ４の静止画像をスクロールさせるテスト信号である。なおこの図１において、Ｗはホワイト、Ｙはイエロー、Ｃはシアン、Ｇはグリーン、Ｍはマゼンタ、Ｒは赤、Ｂは青である。なおここでこの同一の静止画像は、カラーバー以外に、グレースケール、水平方向にランプ関数状に徐々に輝度及び又は色相が変化する画像、水平解像度を確認する各種のパターン、自然画等を適用することができる。
【００２５】
コントローラ３は、各領域ＡＲ１〜ＡＲ４で、テスト信号メモリ２から繰り返し、同一のテスト信号用画像データを読み出すことにより、これら領域ＡＲ１〜ＡＲ４で同一の静止画像を表示する。また各領域ＡＲ１〜ＡＲ４で、フィールド毎に、又はフレーム毎に、テスト信号メモリ２からの読出しアドレスを異なる速度で変化させて、各領域ＡＲ１〜ＡＲ４を異なるスクロール速度ｖ１〜ｖ４でスクロールさせる。
【００２６】
この実施例において、ディフォルトの状態では、最もラスタ走査開始端側である第１の領域ＡＲ１のスクロール速度ｖ１は、０に設定され、これによりこの第１の領域ＡＲ１ではスクロールしないように設定される。またこの第１の領域ＡＲ１から遠ざかるに従って、徐々に右から左へのスクロール速度ｖ２〜ｖ４が増大するように設定される。なおスクロール速度は、３０画素／秒以上である。
【００２７】
またユーザーが領域を指定してスクロール方向の切り換えを指示すると、コントローラ３は、対応する領域ＡＲ１〜ＡＲ４における読出しアドレスの変更方向を逆転させ、これにより領域ＡＲ１〜ＡＲ４毎にスクロール方向を切り換える。
【００２８】
またユーザーが領域を指定してスクロール速度の可変を指示すると、コントローラ３は、対応する領域ＡＲ１〜ＡＲ４における読出しアドレスの変更速度をユーザー操作に応動して可変し、これにより領域ＡＲ１〜ＡＲ４毎にスクロール速度を可変する。
【００２９】
（２）実施例の動作
以上の構成において、この信号発生装置１では、ユーザーの操作に応動してテスト信号メモリ２に格納されたテスト信号用画像データが読み出された後、テスト信号出力回路４で所定フォーマット変換され、これによりカラーバー、グレースケール等の各種テスト信号Ｓ１が映像機器の試験用に出力される。
【００３０】
またユーザーが分割スクロール表示を指示すると、１画面を垂直方向に分割して形成される領域ＡＲ１〜ＡＲ４で同一の静止画像を表示し、また各領域ＡＲ１〜ＡＲ４で異なるスクロール速度ｖ１〜ｖ４でスクロールする分割スクロールのテスト信号Ｓ１に出力が切り換えられる。
【００３１】
ここでこの分割スクロールのテスト信号Ｓ１では、画面を垂直方向に分割して形成される領域ＡＲ１〜ＡＲ４で同一の静止画像が表示され、各領域ＡＲ１〜ＡＲ４では異なるスクロール速度ｖ１〜ｖ４でスクロールしていることにより、他の領域の対応する表示との比較により、各領域の各部における画質、ノイズを確認することができる。
【００３２】
すなわち例えばこの分割スクロールをカラーバーにより実行すれば、例えば特定の時点で、最上段の領域ＡＲ１の左端と最下段の領域ＡＲ４の右端とに、同時に特定の色が表示され、これにより左端及び右端との比較により、この特定の色に関して、画質、ノイズを確認することができる。また時点が異なれば、この左端及び右端で表示される特定色が異なるようになり、この異なる色に関して、同様に画質、ノイズを確認することができる。
【００３３】
これによりこの実施例では、符号化処理、復号化処理による画質劣化、ノイズ等を簡易かつ確実に確認することができ、各マクロブロックに適切に符号量が割り当てられているか否か等を確認することができる。
【００３４】
またこの実施例では、ディフォルトの状態では、ラスタ走査終了端側に向かうに従って、この各領域ＡＲ１〜ＡＲ４のスクロール速度が増大するように設定される。これによりＭＰＥＧ２等の符号化処理、復号化処理による画質劣化、ノイズ等を一段と適切に確認することができる。
【００３５】
すなわちＭＰＥＧ２等の符号化処理、復号化処理では、ラスタ走査順、又はオルタネート走査順にマクロブロックを順次処理しており、マクロブロックへの符号量の割り当てが不適切な場合には、これらの走査順における走査終了端側のマクロブロックで著しく画質が劣化し、さらにはノイズが増大する。またレート制御に使用されるＴＭ５等では、マクロブロック毎に発生符号量を検出し、この発生符号量から続いて処理するマクロブロックへの割り当て符号量を計算している。
【００３６】
これによりＭＰＥＧ２等の処理では、ラスタ走査順、又はオルタネート走査順において、走査の後半になるに従って予測誤差信号が増大する場合に、マクロブロックへの符号量の割り当てが不適切となる場合が多い。
【００３７】
これに対してラスタ走査終了端側に向かうに従って、各領域ＡＲ１〜ＡＲ４のスクロール速度が増大するように設定すれば、あたかもラスタ走査順、又はオルタネート走査順において、走査の後半になるに従って予測誤差信号が増大する動画像をシュミレーションすることができ、これにより一段と適切にＭＰＥＧ２等の符号化処理、復号化処理による画質劣化、ノイズ等を確認することができる。
【００３８】
またこの実施例では、ユーザーの指示により、各領域ＡＲ１〜ＡＲ４におけるスクロール速度を可変し、またスクロール方向が切り換えられる。これにより自然界の種々の動画像をシュミレーションして、一段と適切にＭＰＥＧ２等の符号化処理、復号化処理による画質劣化、ノイズ等を確認することができる。
【００３９】
（３）実施例の効果
以上の構成によれば、垂直方向に表示画面を分割して形成される各領域で同一の静止画像を表示し、領域毎に異なるスクロール速度で水平方向にこの静止画像をスクロールさせることにより、ＭＰＥＧ２等の符号化処理、復号化処理による画質劣化、ノイズ等を簡易かつ確実に確認することができる。
【００４０】
またラスタ走査開始端側から遠い領域程、スクロール速度を高速度に設定したことにより、ラスタ走査、又はオルタネート走査により各マクロブロックの発生符号量をレート制御する場合に、一段と適切に画質劣化、ノイズ等を確認することができる。
【００４１】
また各領域のスクロール速度をユーザーの指示に応じて可変することにより、さらには各領域のスクロール方向をユーザーの指示に応じて切り換えることにより、一段と適切に画質劣化、ノイズ等を確認することができる。
【実施例２】
【００４２】
なお上述の実施例では、垂直方向に画面を分割して各領域を水平方向にスクロールさせる場合について述べたが、本発明はこれに限らず、水平方向に画面を分割して各領域を垂直方向にスクロールさせるようにしてもよい。
【００４３】
また上述の実施例では、各領域を同一幅として１画面を４分割する場合について述べたが、本発明はこれに限らず、分割数、各領域の幅は必要に応じて種々に設定することができる。
【００４４】
また上述の実施例においては、メモリから画像データを読み出してテスト信号を出力する場合について述べたが、本発明はこれに限らず、光ディスク、メモリカード等に記録されたビデオ信号を再生してテスト信号を出力する場合等にも広く適用することができる。
【００４５】
また上述の実施例においては、符号化装置を評価する場合について述べたが、本発明はこれに限らず、復号化装置を評価、さらには各種映像装置の評価に広く適用することができる。
【産業上の利用可能性】
【００４６】
本発明は、信号発生装置に関し、例えばＭＰＥＧ２等の符号化処理、復号化処理の確認に使用することができる。
【図面の簡単な説明】
【００４７】
【図１】本発明の実施例１に係る分割スクロールのテスト信号の説明に供する平面図である。
【図２】本発明の実施例１に係る信号発生装置を示すブロック図である。
【符号の説明】
【００４８】
１……信号発生装置、２……テスト信号メモリ、３……コントローラ、４……テスト信号出力回路
【図１】
2009171178.tif 000003
【図２】
2009171178.tif 000004